(57)【要約】【課題】防水ハウジングを透過した光（透過光）やカメラの内蔵ストロボの光（ストロボ光）が防水ハウジングの透過窓で反射し、撮影レンズに入射して撮影画像にフレア、ゴーストなどの現象を発生させるおそれがある。【解決手段】アルミニウムや黒色化プラスチックなどから形成されたポート２０が防水ハウジングの前方に設けられ、カメラ３０が防水ハウジング１０に収納される。ポート２０はカメラの撮影レンズ３２被写体からの光束をカメラ３０の撮影レンズ３２に導く開口２０ｂを有し、開口にガラス２２が嵌合されて撮影レンズ３２への光の透過窓となっている。その周囲にゴムからなるリング状の板部材４４を取付けた遮光リング４０が撮影レンズ３２に装着され、ポート２０内で撮影レンズ３２の周囲の径方向に張出して、防水ハウジング１０内から透過窓（ガラス２２）に向かう光の進行を遮断している。【選択図】図２
2008175932.tif 000002
【特許請求の範囲】
【請求項１】
撮影レンズに装着される撮影レンズの附属品において、
防水ハウジングの内部に収納されて上記撮影レンズ前方にある該防水ハウジングの透過窓を介して撮影を行なうカメラの上記撮影レンズに装着され、
上記撮影レンズの周囲の径方向に張出して防水ハウジング内から上記透過窓に向かって進む光の進行を遮断することを特徴とする撮影レンズの附属品。
【請求項２】
当該附属品は、撮影レンズ先端に設けられたフィルタネジに螺合する雄ネジ部を有し、その周囲にゴムからなるリング状の板部材が取付けられていることを特徴とする請求項１記載の撮影レンズの附属品。
【請求項３】
防水ハウジングシステムにおいて、
撮影レンズが装着されたカメラと、
上記カメラをその内部に収納する防水ハウジングと、
それ自身が光を不透過とした材料または構成からなり、被写体からの光束を上記撮影レンズに導くための開口を有して上記防水ハウジングの前方に設けられるポートと、
上記撮影レンズに設けられ、上記撮影レンズの周囲の径方向に張出して上記ポート内に位置する張出部と、
を具備することを特徴とする防水ハウジングシステム。
【請求項４】
上記カメラは、一眼レフレックスカメラであり、
上記撮影レンズは交換レンズであることを特徴とする請求項３記載の防水ハウジングシステム。
【発明の詳細な説明】
【技術分野】
【０００１】
本発明は、防水ハウジングに収納されるカメラの撮影レンズの附属品、および撮影レンズの装着されたカメラとカメラを収納する防水ハウジングなどからなる防水ハウジングシステムに関する。
【背景技術】
【０００２】
アウトドアスポーツの普及により、銀塩カメラ、デジタルカメラ、デジタルビデオカメラ（報道用、映画用のものを含む）などを防水ハウジング（防水ケース、防水プロテクタ）に収納した防水ハウジングシステムが急速に普及している。防水ハウジングシステムを利用して、たとえば、ダイビング時での水中生物などの水中撮影がなされている。
【０００３】
防水ハウジングは、ヒンジ結合されたフロントケース、リアケースから構成され、フロントケース、リアケースは、いずれも、ポリカーボネートなどの透明プラスチックから中空形状に成形されている（たとえば、特開２００２−０８２３８４号公報）。そして、フロントケースの正面には、被写体光を透過させて内部のカメラの撮影レンズに取込む透過窓（透過面）が形成されている。透過窓はフロントケースの丸穴にガラスを嵌め込んで構成される。
【特許文献１】特開２００２−０８２３８４号公報
【発明の開示】
【発明が解決しようとする課題】
【０００４】
防水ハウジングのフロントケース、リアケースが透明プラスチックから成形されているため、不要な光（自然光）がフロントケース、リアケースを透過して防水ハウジングの内部に侵入する。そして、防水ハウジングの透過窓の後方にカメラの撮影レンズが位置しているため、その不要な透過光が防水ハウジングの内部において透過窓（の内面）で反射すると、その反射光が撮影レンズに入射して撮影画像にゴースト、フレアなどの現象を発生させるおそれがある。
【０００５】
特に、水中撮影では、被写体の露光が不足するため、カメラの内蔵するストロボ（内蔵ストロボ）や、ブラケット装置（ストロボホルダ）を利用して防水ハウジングに装着した大発光のストロボ装置（外付けストロボ）を発光させて撮影がなされる。しかし、内蔵ストロボや外付けストロボを発光させたストロボ撮影では、そのストロボ光（閃光）が光量の大きな光であるため、ゴースト、フレアなどの発生原因となることが多い。なお、外付けストロボの光は防水ハウジングを透過して透過窓に達するから、透過光に分類される。
【０００６】
従来においては、透過窓で反射する透過光（外付けストロボの光を含む）やストロボ光（内蔵ストロボの光）によるゴースト、フレアなどの現象の発生を防止するための附属品は提案されていない。
本発明は、透過光やストロボ光に起因するゴースト、フレアなどの現象の発生を防止する撮影レンズの附属品の提供を目的としている。
また、本発明は、透過光やストロボ光に起因するゴースト、フレアなどの現象の発生を防止する防水ハウジングシステムの提供を別の目的としている。
【課題を解決するための手段】
【０００７】
請求項１記載の本発明によれば、撮影レンズの附属品は、防水ハウジングの内部に収納されて上記撮影レンズ前方にある該防水ハウジングの透過窓を介して撮影を行なうカメラの上記撮影レンズに装着され、上記撮影レンズの周囲の径方向に張出し、防水ハウジング内から上記透過窓に向かって進む光の進行を遮断している。
【０００８】
また、請求項３記載の本発明によれば、防水ハウジングシステムは、撮影レンズが装着されたカメラと、上記カメラを収納する防水ハウジングと、それ自身が光を不透過とした材料または構成からなり、被写体からの光束を上記撮影レンズに導くための開口を有して上記防水ハウジングの前方に設けられるポートと、上記撮影レンズに設けられ、上記撮影レンズの周囲の径方向に張出して上記ポート内に位置する張出部とを具備している。
【発明の効果】
【０００９】
請求項１記載の本発明では、附属品は、カメラの撮影レンズに装着されて撮影レンズの周囲の径方向に張出して、防水ハウジング内から透過窓に向かって進む光の進行を遮断しているため、防水ハウジングを透過した光（透過光；外付けストロボの光を含む）やストロボ光（内蔵ストロボの光）は附属品に妨げられて透過窓に達しない。そのため、透過光などが透過窓で反射して撮影レンズに入射することがなく、透過光などに起因するゴースト、フレアなどの現象の発生が防止できる。
【００１０】
請求項３記載の本発明では、防水ハウジングの前方に設けられて被写体からの光束を撮影レンズに導く開口を有するポートが、光を不透過とした材料または構成からなり、撮影レンズに設けられてポート内に位置する張出部が、撮影レンズの周囲の径方向に張出しているため、光がポートを透過しないとともに、ポート以外の部分を透過した光（透過光；外付けストロボの光を含む）やストロボ光（内蔵ストロボの光）は張出部に妨げられて透過窓に達しない。そのため、透過光などが透過窓で反射して撮影レンズに入射することがなく、透過光などに起因するゴースト、フレアなどの現象の発生が防止できる。
【発明を実施するための最良の形態】
【００１１】
本発明では、撮影レンズの附属品である遮光リング（張出部）は、防水ハウジングの内部に収納されて防水ハウジングの透過窓を介して撮影を行なうカメラの撮影レンズに装着されて撮影レンズの周囲の径方向に張出している。アルミニウムから成形したり、その内面を梨地加工したポートが防水ハウジングの前方に設けられ、遮光リングはポート内に位置している。遮光リングは撮影レンズ先端に設けられたフィルタネジに螺合する雄ネジ部を有し、その周囲にゴムからなるリング状の板部材が取付けられた形状に成形される。
【実施例１】
【００１２】
以下、図面を参照しながら本発明の各実施例を詳細に説明する。図１ないし図３は本発明の一実施例に係る防水ハウジングシステムの分解斜視図、縦断面図、一部破断の斜視図を示す。
図１ないし図３に示すように、防水ハウジングシステム１は、防水ハウジング１０と、ポート２０と、撮影レンズ３２を有したカメラ３０と、遮光リング４０とを具備している。
防水ハウジング１０はハウジング部材である一対のケース（フロントケース、リアケース）１２Ｆ、１２Ｒと、一対のケース間に装着されるシール部材である中空リング状のパッキング１４とを備えて構成されている。フロントケース１２Ｆ、リアケース１２Ｒは、いずれも、たとえばポリカーボネートなどの透明プラスチックから中空形状に成形され、一対のケース間に形成された内部空間１２Ｓにカメラ３０が収納される。一対のケース１２Ｆ、１２Ｒはヒンジ止めされ、一対のバックル１６でロックすることにより、ケース１２Ｆ、１２Ｒの間でパッキング１４が押圧、変形されて、その内部空間１２Ｓが水密に閉じられる。なお、フロントケース１２Ｆはカメラ３０の主要部を収納する本体（防水ハウジング本体）として、リアケース１２Ｒはカメラ３０の一部（後部）を収納するととともに本体の開口背面を閉じる防水カバーとして機能する。
【００１３】
フロントケース１２Ｆの前面は開口され、リング状のマウント１８がフロントケースの前面に固定され、マウントにポート２０が着脱自在に装着されている。たとえば、マウント１８は、フロントケース１２Ｆとは色の異なるプラスチックまたは金属部材からなりフロントケース１２Ｆに一体に形成される。ポート２０は、先端（マウント１８から離反する端）の拡幅された円筒形状、いわゆる略ラッパ形状とされ、後端（マウント１８に隣接する端）の外面に形成された雄ネジ部２０ａが、マウント内面の対応する雌ネジ部１８ａに螺合されて、ポート２０がマウント１８の前面に取付けられる。
【００１４】
マウント１８を介して防水ハウジング１０の前方に設けられるポート２０は、光を透過しないような構成、たとえば、黒色化されたプラスチックから成形された部材、または、アルミニウムなどの光を透過しない材料から形成されている。また、ポート２０は、被写体からの光束を、防水ハウジング内のカメラ３０に導くための開口２０ｂを有し、この開口には被写体からの光束の透過する透過面となるガラス２２が嵌め込まれて透過窓を構成し、ガラス２２の離脱を防止する押さえリング２４がガラスの外側から開口２０ｂに取付けられている。すなわち、押さえリング２４はその外面に雄ネジ部２４ａを持ち、開口２０ｂの内面に形成された対応する雌ネジ部２０ｂ’に押さえリングの雄ネジ部２４ａが螺合されることにより、押さえリング２４がポートの開口２０ｂに装着されてガラス２２を押さえ、ポートの開口２０ｂからのガラスの離脱を防止している。
【００１５】
ガラス２２の背後（防水ハウジング側）でポート２０にリング状のパッキング２０ｃが配置されており、押さえリング２４に押されたガラス２２がその背後のパッキング２０ｃを押圧して変形することにより、ポートの開口２０ｂの水密が確保される。
【００１６】
防水ハウジング１０に収納されるカメラ３０は、たとえば一眼レフレックスカメラとされ、交換レンズからなる撮影レンズ３２がカメラに装着されている。被写体からの光束は、ポートの開口２０ｂから導かれて透過窓である透過面（ガラス２２）を透過し、撮影レンズ３２に入射して撮影がなされる。なお、ポート２０は、ズーミングにより光軸Ｏ方向に伸縮する撮影レンズ３２のズーミング長を考慮した長さに形成される。
カメラ３０は、カメラ本体上方のペンタプリズム前方に、引出し可能なストロボ３４を内蔵しており、被写体の輝度が不足していれば、このストロボを揺動させて内蔵位置からカメラ本体の上方に引き出してストロボの発光を利用して撮影がなされる。すなわち、自然光による露光では露光不足となる撮影においては、ブラケット装置（ストロボホルダ）を利用して発光量の大きなストロボ装置（外付けストロボ；図示しない）を防水ハウジング１０の外に取付け、内蔵ストロボ３４の発光をトリガ光として外付けストロボを発光させて撮影がなされる。
【００１７】
図４は遮光リングを示し、（Ａ）は一部破断の正面図、（Ｂ）は（Ａ）の線Ｂ−Ｂに沿った断面図である。図４（Ａ）（Ｂ）に示すように、遮光リング４０は、撮影光束を通過させる開口を有したリング状の本体４２と、本体の周囲に取付けられて径方向外方に張出したリング状の板部材４４とを有して成形されている。遮光リング（張出部）４０は撮影レンズ３２の附属品であり、遮光リングの本体４２はその外面に開口を囲む雄ネジ部４２ａを有し、この雄ネジ部が撮影レンズ先端に設けられたフィルタネジ（雌ネジ部）３２ａに着脱自在に螺合される。これにより、遮光リング４０がポート２０内で撮影レンズ３２に装着されている。遮光リング（附属品；張出部）３０は光を透過しない材料から成形され、たとえば、中央の本体４２は外観が黒色とされたアルミニウムから、周囲の板部材４４はゴムからインサート射出成形で一体的に成形される。インサート射出成形でなく、本体４２と別体の板部材４４を本体の外面に設けた径方向の嵌合溝４２ｂに嵌合させて遮光リング４０を形成してもよい。
【００１８】
図５は本発明の防水ハウジングシステムで撮影された画像を例示し、（Ａ）は遮光リングを装着しなかったときの撮影画像、（Ｂ）は遮光リングを装着したときの撮影画像である。
遮光リング４０を撮影レンズ３２に装着しないと、図２に示すように、防水ハウジングのリアケース１０Ｒを透過して防水ハウジング１０の内部に侵入した光（透過光）Ｌ１は、被写体からの光束が透過するポートの開口２０ａの透過窓（ガラス２２）の内面（反射面）２２ａで反射して撮影レンズ３２に入射する。
特に、カメラ３０に内蔵されたストロボ３４を発光させれば、その光（ストロボ光）は防水ハウジング１０の内部で防水ハウジングの内面、撮影レンズ３２の外面、ポート２０の内面などで反射しながら、透過窓（ガラス２２）に達し、透過窓の内面２２ａで反射して撮影レンズ３２に入射する。また、防水ハウジング１０の外部でストロボ装置（外付けストロボ）を発光させれば、防水ハウジング１０を透過した光が透過窓（ガラス２２）の内面２２ａで反射して撮影レンズ３２に入射する。そのため、内蔵ストロボ３４や外付けストロボを発光させて水中撮影した場合、または、ストロボを使用せずカメラ背面から防水ハウジング内に不要な光（自然光）が進入した場合では、透過窓の内面２２ａで反射して撮影レンズ３２に入射した不要な光が撮影画面に写り込んでしまう。特に内蔵ストロボ３４を発光させた場合、図５（Ａ）に示すように、ストロボ発光部の発光ゴースト、フレアなどの現象Ｓ１、Ｓ２を撮影画像に発生させる。  
【００１９】
これに対して、遮光リング４０を撮影レンズ３２に装着すれば、光を透過しないゴムの板部材４４がポート２０の内面に隣接する位置まで張出しているため、防水ハウジング１０を透過した光（外付けストロボの光も含む）やカメラ３０の内蔵ストロボ３４の光は、いずれも、ポート２０内で撮影レンズ３２から張出した遮光リング３０にその進行を遮断されて透過窓（ガラス２２）に達しない。また、遮光リング４０がその内部に位置するポート２０も、黒色化されたプラスチックから成形された部材、または、アルミニウムなどの光を透過しない材料から形成されて光を透過しない構成となっているため、外部の光がポートを透過することもない。そのため、防水ハウジング１０の内部で光（透過光やストロボ光）が透過窓（ガラス２２）に達することがなく、透過窓の内面２２ａで反射して撮影レンズ３２に入射する光がない。したがって、図５（Ｂ）に示すように、ゴースト、フレアなどの現象のない画像が撮影できる。
【００２０】
遮光リング４０は雄ネジ部４２ａを有しているため、この雄ネジ部を撮影レンズ３２先端のフィルタネジ（雌ネジ部）３２ａに螺合することにより、遮光リングを撮影レンズ３２に容易に装着できる。また、遮光リング４０はその本体４２の周囲にゴムからなるリング状の板部材４４の取付けられた張出部状とされ、その周囲が弾性体であるゴムからなるため、他部材などに当接しても、遮光リング自らが破損したり他部材を破損させることがない。さらに、撮影レンズ３２に装着していない状態での保管、搬送においても、遮光リング４０の破損が防止できる。
遮光リング４０の周囲を構成するリング状の板部材４４は、光を透過しない材料であれば足り、ゴムに限定されない。
【００２１】
カメラ３０を一眼レフレックスカメラ、撮影レンズ３２を交換レンズとすれば、種々の倍率、画角のもとで撮影が楽しめる。
【００２２】
なお、実施例では、図示のポート２０よりも小径の別のポートを防水ハウジング１０に装着する場合の互換性を考慮して、遮光リング４０の張出長さ（径方向の長さ）を短めに形成しているため、遮光リング４０とポート２０の内面との間に隙間４０ｃが残されている。しかし、隙間４０ｃの大きさ（幅）自体が僅かで、隙間そのものも光軸０から十分に離れているため、防水ハウジング１０を透過した光や内蔵ストロボ３４の光が、この隙間を介して透過窓（ガラス２２）に達してその内面２２ａで反射しても撮影レンズ３２に入射するおそれはほとんどない。
互換性を考慮せず、ポート２０の内径にほぼ合致させて隙間４０ｃをほとんどゼロとする形状（張出長さ）に遮光リング４０を成形してもよい。この場合でも、遮光リング４０の周囲をゴムなどの弾性体から成形しているため、撮影レンズ３２に装着する際に遮光リングの周囲（板部材４４）がポート２０の内面に当接しても遮光リング４０を破損させるおそれはない。
【００２３】
上述した実施例は、この発明を説明するためのものであり、この発明を何ら限定するものでなく、この発明の技術範囲内で変形、改造などの施されたものも全てこの発明に包含されることは言うまでもない。
たとえば、撮影レンズの附属品である遮光リングは、通常、撮影レンズ先端のフィルタネジを利用して撮影レンズに直接装着されるが、フィルタネジに中間部材を取付け、この中間部材に遮光リングを取付ける構成としてもよい。
また、実施例では、遮光リングはその中央の本体をアルミニウムから、その周囲のリング状の板部材を弾性体であるゴムからと異質の材料からそれぞれ成形している。しかし、遮光リングの中央を硬質のゴムから、周囲を軟質のゴムからと同一の材料から一体成形してもよい。
さらに、防水ハウジングの透過窓はガラスで構成したが、透明のアクリルなどのプラスチックで構成してもよい。
【００２４】
上記のように、本発明では、遮光リングがカメラの撮影レンズに装着され撮影レンズの周囲の径方向に張出して、防水ハウジング内から透過窓に向かって進む光の進行を遮断しているため、防水ハウジングを透過した光（透過光；外付けストロボの光を含む）やストロボ光（内蔵ストロボの光）は遮光リングに妨げられて透過窓に達しない。
また、防水ハウジングの前方に設けられて被写体からの光束を撮影レンズに導く開口を有するポートが、光を不透過とした材料または構成からなるため、ポートを透過して防水ハウジングに入り込む光もなく、この点からも透過光に起因する、ゴースト、フレアなどの現象の発生が防止できる。
【産業上の利用可能性】
【００２５】
遮光リングは防水ハウジングに収納されるカメラの撮影レンズに装着されるがこれに限定されず、ストロボ光を反射しやすい撮影環境、たとえば、光を反射しやすい壁面に囲まれた狭い場所での（水中撮影以外の）撮影においても遮光リングは有効であり、防水ハウジングと無関係に使用されるカメラの撮影レンズの附属品としても本発明が応用できる。
【図面の簡単な説明】
【００２６】
【図１】本発明の一実施例に係る防水ハウジングシステムの分解斜視図を示す。
【図２】防水ハウジングシステムの縦断面図を示す。
【図３】防水ハウジングシステムの一部破断の斜視図を示す。
【図４】遮光リングを示し、（Ａ）は一部破断の正面図、（Ｂ）は（Ａ）の線Ｂ−Ｂに沿った断面図である。
【図５】撮影画像の例示であり、（Ａ）は遮光リングを装着しなかったときの撮影画像、（Ｂ）は遮光リングを装着したときの撮影画像である。
【符号の説明】
【００２７】
１        防水ハウジングシステム
１０        防水ハウジング
１２Ｆ、１２Ｒ    防水ハウジングのケース（フロントケース、リアケース）
１２Ｓ      防水ハウジングの内部空間
２０        ポート
２２        ガラス（透過面、透過窓）
２２ａ      ガラスの内面（反射面）
２４        押さえリング
３０        カメラ
３２        撮影レンズ
３４        （内蔵）ストロボ
４０        遮光リング（附属品、張出部）
４２        本体
４４        板部材
【図１】
2008175932.tif 000003
【図２】
2008175932.tif 000004
【図３】
2008175932.tif 000005
【図４】
2008175932.tif 000006
【図５】
2008175932.tif 000007